(57)【要約】【課題】多様な形態の積載品を安定して搬送することができる簡素な構造の搬送用パレットを安価に提供する。【解決手段】底板１０の幅方向両端部に、底板１０に対して回動可能に立設された一対の側板３０Ｒ，３０Ｌと、一対の側板３０Ｒ，３０Ｌに渡って掛け渡される複数のベルト部材５０とを備え、ベルト部材５０は、一対の側板３０Ｒ，３０Ｌの一方の頂部から他方の底部に渡って掛け渡されていると共に、隣接するベルト部材５０同士は、たすき掛け状となるように、一対の側板３０Ｒ，３０Ｌ間に掛け渡されている。【選択図】図１
2018070207.tif 000002
【特許請求の範囲】
【請求項１】
底板と、
前記底板の幅方向両端部に、前記底板に対して回動可能に立設された一対の側板と、
前記一対の側板に渡って掛け渡された複数のベルト部材と
を備え、
前記ベルト部材は、前記一対の側板の一方の上部から、他方の側板下部と底板端部との交差部近傍に渡って掛け渡されて固着されていると共に、隣接する前記ベルト部材同士は、たすき掛け状となるように、前記一対の側板間に掛け渡されていることを特徴とする搬送用パレット。
【請求項２】
前記一対の側板の頂部には、複数の凹状の切欠き孔が形成されていると共に、前記一対の側板の下部には、複数の矩形状の切欠き孔が形成されており、かつ、前記一対の側板の一方の前記凹状の切欠き孔のぞれぞれは、他方の前記矩形状の切欠き孔のそれぞれと対応するように配置形成されていることを特徴とする請求項１に記載の搬送用パレット。
【請求項３】
前記複数のベルト部材の両端部のそれぞれは中空円筒状に端末処理されており、前記一対の側板のそれぞれの頂部及び底部には、奥行き方向に延在する棒状の支持部材が配設されていると共に、前記複数のベルト部材の末端部を前記棒状の支持部材により奥行き方向に挿通して配設することにより、前記複数のベルト部材を一体的に支持固定することを特徴とする請求項１又は２に記載の搬送用パレット。
【請求項４】
前記複数のベルト部材のそれぞれは、その両端部に止め金具が設けられていることを特徴とする請求項１又は２に記載の搬送用パレット。
【請求項５】
前記ベルト部材は、左右の側板の頂部に渡って掛け渡されるハンモック状の湾曲部と、当該湾曲部の下面と、対向する前記交差部近傍とを接続する接続部とを備え、
前記接続部は、前記湾曲部の円弧角において、０〜４５°、１３５〜１８０°の左右対称の領域にて前記湾曲部に接着されていることを特徴とする請求項１ないし４のいずれかに記載の搬送用パレット。
【発明の詳細な説明】
【技術分野】
【０００１】
本発明は、多様な形態を有する積載品を安定に支持して搬送するための搬送用パレットに関するものであり、特に、光ファイバーケーブル、紙、フィルム類、自動車鋼板用コイル等の円筒状製品のみならず筒状不定形製品の搬送に好適な搬送用パレットに関するものである。
【背景技術】
【０００２】
一般に、荷役作業等の際、フォークリフトやハンドリフトの爪を差し込んで持ち上げるパレットに積載される積載品は、様々な形状、大きさ等多様な形態を有している。
【０００３】
例えば、平坦面に置くと転がって傷がつき易いロール製品等を搬送する場合には、その中心部の巻芯紙管の両端を支持する２本の架台により、ロール製品等を宙吊り状態にして、木箱やダンボール箱に収納し、箱の底に架台を固定して搬送する方法が採用されていた。しかし、この方法は、架台の下端の固定部に荷重が集中するため、収納する箱全体の強度を強くする必要があり、また、ロール製品が、宙吊り状態で不安定であるため、これを補う支持材や梱包に費用がかかるといった問題を有していた。
【０００４】
一方、筒状不定形製品（非ロール製品）では巻芯が設けられないため、上記の方法も採用できず、積載品の大きさ、重量、形状等に応じて、その都度、固定方法や搬送に不便をきたしていた。
【０００５】
そこで、本発明者は、収納箱等を不要にしつつロール状製品を搬送することができるダンボール製の搬送用パレットを既に提案している（特許文献１参照）。
【０００６】
ここで、特許文献１には、四角形のダンボールシートの両端部をそれぞれ断面が略三角形に内側に折曲げることにより、２本の略三角柱部が、お互いに近接して対向配置され、製品の積載時に対向する２個の略三角柱部の間に浮揚空間が形成される搬送用パレットが開示されている。
【先行技術文献】
【特許文献】
【０００７】
【特許文献１】特開２０００−３３９４３号公報
【発明の概要】
【発明が解決しようとする課題】
【０００８】
しかしながら、特許文献１に記載された先行技術では、重力方向の荷重に対しては十分な強度を有するものの、複合荷重（特に、横荷重）に対しては、対向する略三角柱部の一方側に倒れやすく不安定であり、積載品が当該柱部を乗り越えて横転し易いといった問題が生じていた。また、略三角柱部の一方をフォークリフト等で引っ掛けた場合、片側支持であるため、積載品が脱落する恐れも生じていた。さらに、パレット自体を搬送する際には、三角柱部を折り畳むことができずに嵩張るため、搬送効率が悪いといった問題も生じていた。
【０００９】
そこで、本発明は上述のような従来技術の問題点に鑑みてなされたものであり、多様な形態の積載品を安定して搬送することができる簡素な構造の搬送用パレットを安価に提供することを目的とする。
【課題を解決するための手段】
【００１０】
上記目的を達成するために、本発明に係るダンボールパレットは、底板と、前記底板の幅方向両端部に、前記底板に対して回動可能に立設された一対の側板と、前記一対の側板に渡って掛け渡された複数のベルト部材とを備え、前記ベルト部材は、前記一対の側板の一方の上部から、他方の側板下部と底板端部との交差部近傍に渡って掛け渡されて固着されていると共に、隣接する前記ベルト部材同士は、たすき掛け状となるように、前記一対の側板間に掛け渡されていることを特徴とするものである。
【００１１】
ここで、側板下部と底板端部との交差部近傍とは、側板下部と、この側板下部と接続される底板の幅方向端部との交差部（接続部）近傍をいうものとし、固着とは、接着、溶接、ボルト締め等、一般的な機械的・電気的・化学的接合手段を含むものとする。
【００１２】
このように構成した場合には、自重による挟持固定作用により、別途、固定具、支持材あるいは収納箱等を設けることなく、振動や衝撃を和らげて積載品の安定した支持搬送に寄与することができる。また、積載品による荷重を分散させて局所的な荷重の集中を抑制して、別途、補強材等を設けることなく軽量化や小型化に寄与することができる。加えて、例えば、搬送中等に横荷重を含む複合荷重が作用した場合でも、より安定した支持搬送が可能となる。また、パレット自体の現場での組立を容易とすると共に、保管や運搬のコストを大幅に低減することができる。
【００１３】
また、前記一対の側板の頂部には、複数の凹状の切欠き孔が形成されていると共に、前記一対の側板の下部には、複数の矩形状の切欠き孔が形成されており、かつ、前記一対の側板の一方の前記凹状の切欠き孔のぞれぞれは、他方の前記矩形状の切欠き孔のそれぞれと対応するように配置形成されていてもよい。
【００１４】
このように構成した場合には、左右対称に、かつ、隣接するベルト部材をたすき掛け状に側板間に掛け渡すための切欠き孔を容易に形成することができる。
【００１５】
さらに、前記複数のベルト部材の両端部のそれぞれは中空円筒状に端末処理されており、前記一対の側板のそれぞれの頂部及び底部には、奥行き方向に延在する棒状の支持部材が配設されていると共に、前記複数のベルト部材の末端部を前記棒状の支持部材により奥行き方向に挿通して配設することにより、前記複数のベルト部材を一体的に支持固定してもよい。
【００１６】
このように構成した場合には、複数のベルト部材を一体的に容易に固定支持することができる。
【００１７】
さらに、前記複数のベルト部材のそれぞれは、その両端部に止め金具が設けられていてもよい。
【００１８】
このように構成した場合には、複数のベルト部材のそれぞれをユニット化・標準化して、コストダウンに寄与すると共に、ベルトを掛け渡す位置を容易に調整変更することができる。
【００１９】
さらにまた、前記ベルト部材は、左右の側板の頂部に渡って掛け渡されるハンモック状の湾曲部と、当該湾曲部の下面と、対向する前記交差部近傍とを接続する接続部とを備え、前記接続部は、前記湾曲部の円弧角において、０〜４５°、１３５〜１８０°の左右対称の領域にて前記湾曲部に接着されていてもよい。
【００２０】
このように構成した場合には、積載品の表面形状に倣いやすいというハンモック形態の利点を損なうことなく、複合荷重に対して倒れやすいという欠点を補うことができる。
【発明の効果】
【００２１】
本発明に係る搬送用パレットは、荷重の局所的集中を抑制して軽量化、小型化を可能とすると共に、多様な形態の積載品を安定して搬送することができる。
【図面の簡単な説明】
【００２２】
【図１】本発明の実施形態１に係る搬送用パレットの構成を示す模式的斜視図である。
【図２】本発明に係る搬送用パレットの積載品の種々の大きさへの対応を示す模式図であり、（ａ）は底板の幅より短い積載品を搭載した状態を示す模式図、（ｂ）は底板の幅と同等の積載品を搭載した状態を示す模式図、（ｃ）は底板の幅より長い積載品を搭載した状態を示す模式図である。
【図３】本発明の実施形態２に係る搬送用パレットの構成を示す模式図であり、（ａ）は全体構成を示す斜視図、（ｂ）は上部止め金具を示す斜視図、（ｃ）は下部止め金具を示す斜視図である。
【図４】本発明の実施形態３に係る搬送用パレットの構成を示す模式的正面図である。
【図５】本発明の実施形態３に係るベルト部材を示す模式的展開図である。
【発明を実施するための形態】
【００２３】
以下に、本発明に係る搬送用パレットの一実施形態について、図面を参照して説明する。なお、以下の実施形態にて例示する搬送用パレットは、予め所定の大きさにカットした強化ダンボールを２枚から３枚積層して貼り合せた厚いボード状のダンボールシートにて形成されている。また、上記強化ダンボールとしては、両面ダンボールの片側に片面ダンボールを貼り合わせた、いわゆる複両面ダンボール（ＡＢ段：８ｍｍ）であり、ライナーはＫ７かＫ６、中芯はＭＭ１８０が用いられている。
＜実施形態１＞
【００２４】
本実施形態に係る搬送用パレット１は、図１に模式的に示すように、底板１０と、この底板１０の幅方向両端部に立設され、互いに対向する一対の側板３０Ｒ，３０Ｌと、右側板３０Ｒと左側板３０Ｌとの間に、たすき掛け状に斜めに掛け渡される複数の短冊状のベルト部材５０と、底板１０の下部に敷設される桁部６０とを備えている。そして、この複数のベルト部材５０上に積載品を搭載すると、積載品の自重により左右の側板３０Ｒ，３０Ｌが積載品を挟み込み（締め付け）、これにより、別途、固定部材等を用いることなく、搬送中等の複合荷重に対しても当該積載品を安定して支持搬送することができる。なお、本実施の形態では、桁部６０内にフォークリフトの爪を挿入することにより、容易な搬送を可能としているが、フォークリフト等を用いないで搬送する場合には、桁部６０は省略することができる。
【００２５】
底板１０の幅方向両端には、左右の側板３０Ｒ，３０Ｌが底板１０に対して回動可能（折りたたみ可能）に立設（対向配置）されている。
【００２６】
右側板３０Ｒは、その底部にて底板１０と蝶番１２等により接続（立設）されていると共に、当該底部には、複数の矩形状の下部切欠き孔３０Ｒａが所定の間隔を設けて形成されている。一方、右側板３０Ｒの頂部には、複数の凹状の上部切欠き孔３０Ｒｂが所定の間隔を設けて形成されているが、上部凹状切欠き孔３０Ｒｂと下部矩形状切欠き孔３０Ｒａとは、それぞれが互い違いとなるように（側面視で、千鳥配置となるように）配設されている。
【００２７】
左側板３０Ｌは、基本的に右側板３０Ｒと同様な構造であり、底板１０に対して折りたたみ可能に接続（立設）されているが、複数の矩形状の下部切欠き孔３０Ｌａ及び頂部の複数の凹状の上部切欠き孔３０Ｌｂについては、対向する右側板３０Ｒの下部矩形状切欠き孔３０Ｒａ及び上部凹状切欠き孔３０Ｒｂとそれぞれが互い違いとなるように（平面視で、左右の下部矩形状切欠き孔３０Ｒａ，３０Ｌａ同士及び左右の上部凹状切欠き孔３０Ｒｂ，３０Ｌｂ同士が千鳥配置となるように）配設されている。
【００２８】
言い換えれば、左右の側板３０Ｒ，３０Ｌに渡って複数のベルト部材５０が交互にたすき掛けされるように、右側板３０Ｒの上部凹状切欠き孔３０Ｒｂの配設位置は、左側板３０Ｌの下部矩形状切欠き孔３０Ｌａの配設位置に対応するように形成されており、左側板３０Ｌの上部凹状切欠き孔３０Ｌｂの配設位置は、右側板３０Ｒの下部矩形状切欠き孔３０Ｒａの配設位置に対応するように形成されている。
【００２９】
また、側板３０の高さは、少なくとも積載品の重心位置よりも高いことが望ましい。例えば、積載品が円筒形である場合には、円筒の半径以上（底板１０の長さの半分以上）であることが好ましい。
【００３０】
ベルト部材５０は、所定の幅（例えば、５０〜１５０ｍｍ）を有する耐荷重性（強度）の高い弾性部材（例えば、吊り下げベルト等）であり、その両端部がループ状（軸線が奥行き方向の中空円筒状）に端末処理されている。そして、この末端部５０Ｅのそれぞれを一方の側板３０Ｒ（３０Ｌ）の上記凹状切欠き孔３０Ｒｂ（３０Ｌｂ）と、対応する他方の側板３０Ｌ（３０Ｒ）の下部矩形状切欠き孔３０Ｌａ（３０Ｒａ）から側板外方に突出させ、当該末端部５０Ｅにパイプ部材（本発明の棒状の支持部材に相当）を奥行き方向に沿って挿通させることにより、複数のベルト部材５０を一体的に支持固定するようになっている。なお、隣接するベルト部材の間隔（隙間）は、ベルト幅よりも短いことが好ましい。
【００３１】
このように、たすき掛けした複数の短冊状のベルト部材５０にて積載品を支持することにより、当該積載品の表面形状等に合わせて、ベルト部材５０の張り具合、隣接するベルト５０の間隔等の調節が適宜可能となるので、円筒状製品のみならず多様な形状の不定形製品をも容易に積載することができる。
【００３２】
なお、本実施の形態では、ベルト部材５０の下端部を、側板３０に設けた下部矩形状切欠き孔３０ａに挿通して固定したが、底板１０に固定するように構成してもよい。
【００３３】
すなわち、側板３０Ｒ（３０Ｌ）下部と底板１０端部との交差部近傍（側板３０Ｒ（３０Ｌ）の下端部近傍、又は、底板１０の幅方向端部近傍）と、対向する側板３０Ｌ（３０Ｒ）の上部とを斜めにたすき掛け状に掛け渡して固着（接着、溶接、ボルト締等）すればよい。
【００３４】
また、本発明に係る搬送用パレットでは、ベルト部材５０によりたすき掛けされている側板３０Ｒ，３０Ｌが、積載品の自重により当該積載品を挟み込んで締め付け固定する（自重による挟持固定作用）ので、底板１０の幅は、従来のように必ずしも積載品の幅と同等の幅とする必要はなく、図２に模式的に示すように、多様な積載品の幅（底板１０の幅の±２０％程度）に柔軟に対応可能である。
【００３５】
例えば、ロール紙等の大型重量物（例えば、φ８００〜１２００ｍｍ）を積載品として搭載する場合でも、１０００ｍｍ幅の底板１種類にて対応可能である。また、このような場合には、底板１０、側板３０をベニヤ板や鋼板で形成し、ベルト部材５０はラッシングベルト（登録商標）やワイヤに置き換えて、その下端部を底板１０（あるいは側板３０）に溶接やボルト締めにて固定してもよい。後述する他の実施形態についても同様である。
【００３６】
以上、本実施の形態に係る搬送用パレット１によれば、積載品の自重により、左右の側板３０Ｒ,３０Ｌが積載品を挟み込んで締め付けて固定する（自重による挟持固定作用）と共に、積載品と底板１０との間に形成された空間がエアサスペンションの役割を果たし、別途、固定具、支持材あるいは収納箱等を設けることなく、多様な大きさ、重量、形状等の積載品に柔軟に対応可能としつつ、振動や衝撃を和らげて積載品の安定した支持搬送に寄与することができる。また、積載品による荷重を分散させて局所的な荷重の集中を抑制して、別途、補強材等を設けることなく軽量化や小型化に寄与することができる。加えて、例えば、搬送中等に横荷重を含む複合荷重が作用した場合でも、一方の側板の頂部と他方の側板の底部とが相互接続されているので、一方の側板が外側に傾斜しようとした場合、対向する他方の側板がアンカーの役割を果たし、横荷重等に対して側板が片側に倒れ込むことを未然に防止して、より安定した支持搬送が可能となる。また、パレット自体は容易に折りたたみ可能であるため、現場での組立を容易とすると共に、パレット自体の保管や運搬のコストを大幅に低減することができる。
＜実施形態２＞
【００３７】
本実施形態に係る搬送用パレット１Ａは、先の実施形態におけるベルト部材の末端部５０Ｅの構成を変更し各ベルト部材をユニット化したものであり、先の実施形態と同様な機能を有する部材には、同様な符号を付し、その詳細な説明は省略する。
【００３８】
図３に模式的に示すように、本実施の形態に係るベルト部材５０Ａは、両端部に上部止め金具５５Ｕ（図３（ｂ）参照）及び下部止め金具５５Ｄ（図３（ｃ）参照）がそれぞれ取り付けられている。なお、符号５６は、ベルト部材を挿通させるベルト挿通孔であり、不図示のバックル部材により固定するようになっている。そして、上部止め金具５５Ｕを上部凹状切欠き孔３０Ｒｂ（３０Ｌｂ）に取り付けると共に、下部止め金具５５Ｄを対応する下部矩形状切欠き孔３０Ｌａ（３０Ｒａ）に取り付けることにより、先の実施の形態に比し、ベルト部材５０Ａをユニット化して、それぞれを単独で側板３０Ｒ，３０Ｌ間に取り付け固定することが可能となる。
【００３９】
これにより、各ベルト部材５０Ａをユニット化、標準化してコストダウンに寄与すると共に、右側板３０Ｒと左側板３０Ｌに渡って接続されるベルト部材５０Ａの掛け位置（取付け位置）を、積載品の複雑な表面形状（表面の凹凸形状）等に応じて、より容易に変更することができる。
＜実施形態３＞
【００４０】
本実施形態に係る搬送用パレット１Ｂは、先の実施形態におけるベルト部材の構成を変更したものであり、先の実施形態と同様な機能を有する部材には、同様な符号を付し、その詳細な説明は省略する。ここで、図４は、本実施形態の構成を示す模式的正面図であり、図５はベルト部材の模式的展開図である。
【００４１】
図４及び図５に模式的に示すように、本実施の形態に係るベルト部材５０Ｂは、左右の側板３０Ｒ，３０Ｌの頂部に渡ってハンモック状に湾曲して掛け渡される湾曲部５７と、湾曲部５７の下面に接着されて当該湾曲部５７と対向する側板の底部とをたすき掛け状に接続する接続部５７Ｓとを有している。
【００４２】
湾曲部５７は、図５に示すように、奥行き方向に渡って延在するハンモック状のベルト部材であるが、積載品の多様な形状に対応するために、帆布、網、ワイヤ等を用いてもよい。
【００４３】
接続部５７Ｓは、その先端に湾曲部５７との接着面５７０を有し、かつ、隣接する接続部同士は、たすき掛け状となるように交互に配置されている。
【００４４】
これにより、湾曲部５７において、多様な形状の積載品（特に、円筒状製品）を好適に支持すると共に、接続部５７Ｓにより左右の側板３０Ｒ，３０Ｌの上部と下部とをたすき掛け状に相互接続して、横荷重を含んだ複合荷重に対しても安定した支持搬送を可能とする。
【００４５】
なお、湾曲部５７と接続部５７Ｓとの接着領域は、経年的に安定した確実な接着とバランスを確保とするという観点から、接着領域はなるべく接触面積が大きくなるように、半円弧状の湾曲部５７の円弧角として、０〜４５°及び１３５〜１８０°の左右対称の領域内（図４のα，β参照）にて左右対称に接着することが好ましい。
【００４６】
これにより、積載品の表面形状に倣い易いというハンモック形状の利点を損なうことなく、複合荷重に対して片側に倒れ易いという欠点を補って、積載品の安定した搬送が可能となる。
【００４７】
なお、本発明の技術的範囲は上述した各実施の形態に限定されるものではなく、本発明の要旨に逸脱しない範囲において多様な変更もしくは改良を加え得るものである。例えば、上述した実施の形態では、搬送用パレットの構成部材として強化ダンボールシートを用いた形態を例示したが、積載品の重量、大きさ、形状等に応じて、ダンボールのみならず、木製合板、合成樹脂板、鋼板等を適宜用いることができる。また、上述した実施形態は、それぞれ単独で実施してもよいが、当然に、適宜組み合わせて実施してもよい。
【符号の説明】
【００４８】
１，１Ａ，１Ｂ    搬送用パレット
１０              底板
１２              蝶番
３０Ｒ            右側板
３０Ｌ                左側板
３０Ｒａ，３０Ｌａ    下部矩形状切欠き孔
３０Ｒｂ，３０Ｌｂ    上部凹状切欠き孔
５０，５０Ａ，５０Ｂ  ベルト部材
５０Ｅ                末端部
５５Ｄ                下部止め金具
５５Ｕ                上部止め金具
５６                  ベルト挿通孔
５７                  湾曲部
５７Ｓ                接続部
６０                  桁部
５７０                接着面
【図１】
2018070207.tif 000003
【図２】
2018070207.tif 000004
【図３】
2018070207.tif 000005
【図４】
2018070207.tif 000006
【図５】
2018070207.tif 000007